(57)【要約】【課題】本発明は、結像品質が優れ且つ小型化に有利であるズームレンズ鏡胴を提供することを目的とする。【解決手段】本発明に係るズームレンズ鏡胴は、対物側から結像側へ順に、第一レンズ群、第二レンズ群、第三レンズ群及び結像面を備える。第一レンズ群は、負の屈折力を有し、且つ負の屈折力を有する第一レンズと、正の屈折力を有する第二レンズと、を備え、第二レンズ群は、正の屈折力を有し、且つ正の屈折力を有する第三レンズと、正の屈折力を有する第四レンズと、負の屈折力を有する第五レンズと、を備え、第三レンズ群は、正の屈折力を有し、且つ少なくとも１つの正の屈折力を有する第六レンズを備える。【選択図】図１
2012093759.tif 000002
【特許請求の範囲】
【請求項１】
対物側から結像側へ順に、第一レンズ群、第二レンズ群、第三レンズ群及び結像面を備えるズームレンズ鏡胴において、
前記第一レンズ群は、負の屈折力を有し、且つ負の屈折力を有する第一レンズと、正の屈折力を有する第二レンズと、を備え、
前記第二レンズ群は、正の屈折力を有し、且つ正の屈折力を有する第三レンズと、正の屈折力を有する第四レンズと、負の屈折力を有する第五レンズと、を備え、
前記第三レンズ群は、正の屈折力を有し、且つ少なくとも１つの正の屈折力を有する第六レンズを備え、
前記ズームレンズ鏡胴が下記の条件式（１）〜（４）を満たすことを特徴とするズームレンズ鏡胴。
０．３５＜ｆ２／ｆ３＜０．７……（１）
１．８＜｜ｆ４５／Ｆｗ｜＜３……（２）
０．５＜｜ｆ１｜／Ｆｔ＜０．９……（３）
０．７＜ｆ３／Ｆｔ＜１．２……（４）
（ただし、ｆ１は、第一レンズ群の有効焦点距離を表し、ｆ２は、第二レンズ群の有効焦点距離を表し、ｆ３は、第三レンズ群の有効焦点距離を表し、ｆ４５は、接着された第四レンズ及び第五レンズの複合レンズの有効焦点距離を表し、Ｆｗは、ズームレンズ鏡胴の広角端においての有効焦点距離を表し、Ｆｔは、ズームレンズ鏡胴の望遠端においての有効焦点距離を表す）
【請求項２】
前記ズームレンズ鏡胴が下記の条件式（５）及び（６）をさらに満たすことを特徴とする請求項１に記載のズームレンズ鏡胴。
３．３＜（Ｎ１＋Ｎ２）＜３．５６……（５）
１６＜（Ｖ１−Ｖ２）＜２８……（６）
（ただし、Ｎ１は、第一レンズの屈折率を表し、Ｎ２は、第二レンズの屈折率を表し、Ｖ１は、第一レンズのアッベ数を表し、Ｖ２は、第二レンズのアッベ数を表す）
【請求項３】
前記ズームレンズ鏡胴が下記の条件式（７）及び（８）をさらに満たすことを特徴とする請求項１または２に記載のズームレンズ鏡胴。
３．４＜（Ｎ４＋Ｎ５）……（７）
３＜（Ｖ４−Ｖ５）＜１３……（８）
（ただし、Ｎ４は、第四レンズの屈折率を表し、Ｎ５は、第五レンズの屈折率を表し、Ｖ４は、第四レンズのアッベ数を表し、Ｖ５は、第五レンズのアッベ数を表す）
【請求項４】
前記ズームレンズ鏡胴が下記の条件式（９）及び（１０）をさらに満たすことを特徴とする請求項１から３のいずれか一項に記載のズームレンズ鏡胴。
０．６＜Ｍ２／Ｆｔ＜０．７……（９）
０．００８＜Ｌ１２ｔ／Ｆｔ＜０．０３６……（１０）
（ただし、Ｍ２は、前記ズームレンズ鏡胴が広角端から望遠端に調節される時の第二レンズ群の光軸に沿う最大移動距離を表し、Ｌ１２ｔは、前記ズームレンズ鏡胴が望遠端である時の、第一レンズ群の第二レンズの結像側の表面と第二レンズ群の第三レンズの対物側の表面との間の距離を表す）
【発明の詳細な説明】
【技術分野】
【０００１】
本発明は、光学技術に関し、特にズームレンズ鏡胴に関するものである。
【０００２】
科学技術の発展に伴って、電子製品は、軽量化、薄型化、小型化、及び多機能の方向に発展している。そして、電子製品の多機能の要求によって、デジタルカメラ、コンピュータ、携帯電話又は個人携帯情報端末（ＰＤＡ）等のような電子製品には、撮影装置が装着される。電子製品の軽量化、薄型化及び小型化を達成するために、優れた結像品質を保証する前提で、撮影装置をできるだけ小さく設計する。従って、撮影装置の小型化を実現する。
【０００３】
球面レンズは、色収差の補正に有利であって、業界で広く用いられているが、Ｆ値（Ｆ  ｎｕｍｂｅｒ）が小さく且つ視角が広い（広角、Ｗｉｄｅ−Ａｎｇｌｅ）撮影装置に用いられる場合、球面収差のような収差の補正がしにくい問題がある。ゆえに、現在は撮影装置に非球面レンズを用いることで優れた結像品質を達成する。しかし、これらの撮影装置において、レンズ鏡胴のサイズが大きくなるので、これらの撮影装置を用いる電子製品は、薄型化及び小型化の要求を満たしにくい。
【発明の概要】
【発明が解決しようとする課題】
【０００４】
以上の問題点に鑑みて、本発明は、結像品質が優れ且つ小型化に有利であるズームレンズ鏡胴を提供することを目的とする。
【課題を解決するための手段】
【０００５】
前記問題を解決するために、本発明に係るズームレンズ鏡胴は、対物側から結像側へ順に、第一レンズ群、第二レンズ群、第三レンズ群及び結像面を備える。前記第一レンズ群は、負の屈折力を有し、且つ負の屈折力を有する第一レンズと、正の屈折力を有する第二レンズと、を備え、前記第二レンズ群は、正の屈折力を有し、且つ正の屈折力を有する第三レンズと、正の屈折力を有する第四レンズと、負の屈折力を有する第五レンズと、を備え、前記第三レンズ群は、正の屈折力を有し、且つ少なくとも１つの正の屈折力を有する第六レンズを備える。前記ズームレンズ鏡胴が下記の条件式を満たす。
０．３５＜ｆ２／ｆ３＜０．７……（１）
１．８＜｜ｆ４５／Ｆｗ｜＜３……（２）
０．５＜｜ｆ１｜／Ｆｔ＜０．９……（３）
０．７＜ｆ３／Ｆｔ＜１．２……（４）
（ただし、ｆ１は、第一レンズ群の有効焦点距離を表し、ｆ２は、第二レンズ群の有効焦点距離を表し、ｆ３は、第三レンズ群の有効焦点距離を表し、ｆ４５は、接着された第四レンズ及び第五レンズの複合レンズの有効焦点距離を表し、Ｆｗは、ズームレンズ鏡胴の広角端においての有効焦点距離を表し、Ｆｔは、ズームレンズ鏡胴の望遠端においての有効焦点距離を表す）
【発明の効果】
【０００６】
本発明に係るズームレンズ鏡胴において、焦点調節移動距離が短縮されることで前記ズームレンズ鏡胴の全長が短縮されて、前記ズームレンズ鏡胴の小型化を実現し、球面収差、像面湾曲及び色収差が容易に補正されることで優れた結像品質を達成する。
【図面の簡単な説明】
【０００７】
【図１】本発明の第一実施形態に係るズームレンズ鏡胴の構造図である。
【図２】図１に示したズームレンズ鏡胴の広角端においての非球面収差を示す図である。
【図３】図１に示したズームレンズ鏡胴の広角端においての像面湾曲を示す図である。
【図４】図１に示したズームレンズ鏡胴の広角端においての歪みを示すである。
【図５】図１に示したズームレンズ鏡胴の望遠端においての非球面収差を示す図である。
【図６】図１に示したズームレンズ鏡胴の望遠端においての像面湾曲を示す図である。
【図７】図１に示したズームレンズ鏡胴の望遠端においての歪みを示すである。
【図８】本発明の第二実施形態に係るズームレンズ鏡胴の構造図である。
【図９】図８に示したズームレンズ鏡胴の広角端においての非球面収差を示す図である。
【図１０】図８に示したズームレンズ鏡胴の広角端においての像面湾曲を示す図である。
【図１１】図８に示したズームレンズ鏡胴の広角端においての歪みを示すである。
【図１２】図８に示したズームレンズ鏡胴の望遠端においての非球面収差を示す図である。
【図１３】図８に示したズームレンズ鏡胴の望遠端においての像面湾曲を示す図である。
【図１４】図８に示したズームレンズ鏡胴の望遠端においての歪みを示すである。
【発明を実施するための形態】
【０００８】
以下、図面に基づいて、本発明に係るズームレンズ鏡胴について詳細に説明する。
【０００９】
図１は、本発明の第一実施形態に係るズームレンズ鏡胴１００の構造図である。前記ズームレンズ鏡胴１００は、対物側から結像側へ順に、負の屈折力（Ｒｅｆｒａｃｔｉｏｎ  Ｐｏｗｅｒ）を有し且つ前記ズームレンズ鏡胴１００の光軸に沿って移動可能である第一レンズ群１０と、正の屈折力を有し且つ前記ズームレンズ鏡胴１００の光軸に沿って移動可能である第二レンズ群２０と、正の屈折力を有し且つ前記ズームレンズ鏡胴１００の光軸に沿って移動可能である第三レンズ群３０と、カラーフィルタ５０と、保護ガラス６０と、結像面７０と、を備える。
【００１０】
前記第一レンズ群１０は、負の屈折力を有する第一レンズ１１と、正の屈折力を有する第二レンズ１２と、を備える。前記第一レンズ１１は、対物側の第一表面Ｓ１及び結像側の第二表面Ｓ２を有し、前記第二レンズ１２は、対物側の第三表面Ｓ３及び結像側の第四表面Ｓ４を有する。前記第一レンズ１１と前記第二レンズ１２との間に間隔が設けられ、該間隔に迷光を吸収する遮光シートを配置してゴースト（Ｇｈｏｓｔ  ｉｍａｇｅ）の発生を低下させる。
【００１１】
前記第二レンズ群２０は、正の屈折力を有する第三レンズ２１と、正の屈折力を有する第四レンズ２２と、負の屈折力を有する第五レンズ２３と、を備える。前記第三レンズ２１は、対物側の第五表面Ｓ５及び結像側の第六表面Ｓ６を有する。前記第四レンズ２２と前記第五レンズ２３とは、接着剤によって接着されている。前記第四レンズ２２は、対物側の第七表面Ｓ７及び結像側の第八表面Ｓ８を有し、前記第五レンズ２３は、対物側の第八表面Ｓ８及び結像側の第九表面Ｓ９を有する。前記第八表面Ｓ８は、前記第四レンズ２２の結像側の表面と前記第五レンズ２３の対物側の表面との重畳面を指す。
【００１２】
前記第三レンズ群３０は、少なくとも１つの正の屈折力を有する第六レンズ３１を備える。前記第六レンズ３１は、対物側の第十表面Ｓ１０及び結像側の第十一表面Ｓ１１を有する。
【００１３】
前記ズームレンズ鏡胴１００は、前記第二レンズ群２０と前記第三レンズ群３０との間に配置される光学絞り（Ａｐｅｒｔｕｒｅ  ｓｔｏｐ）４０をさらに備える。前記光学絞り４０は、前記第二レンズ群２０を通過してから前記第三レンズ群３０に入射される光線の光束（Ｆｌｕｘ）を制御して前記第二レンズ群２０を通過した後の光錐が対称となるようにして、前記ズームレンズ鏡胴１００のコマ収差（Ｃｏｍａ）を補正する。前記光学絞り４０は、前記ズームレンズ鏡胴１００の光軸に沿って前記第二レンズ群２０と一緒に移動する。
【００１４】
前記カラーフィルタ５０は、対物側の第十二表面Ｓ１２及び結像側の第十三表面Ｓ１３を有する。
【００１５】
前記保護ガラス６０は、対物側の第十四表面Ｓ１４及び結像側の第十五表面Ｓ１５を有する。
【００１６】
本実施形態に係る前記ズームレンズ鏡胴１００は、カメラ又はビジコンカメラ（Ｖｉｄｉｃｏｎ  Ｃａｍｅｒａ）に応用され、下記の条件式（１）〜（４）を満たす。
【００１７】
０．３５＜ｆ２／ｆ３＜０．７……（１）
１．８＜｜ｆ４５／Ｆｗ｜＜３……（２）
０．５＜｜ｆ１｜／Ｆｔ＜０．９……（３）
０．７＜ｆ３／Ｆｔ＜１．２……（４）
【００１８】
ただし、ｆ１は、前記第一レンズ群１０の有効焦点距離を表し、ｆ２は、前記第二レンズ群２０の有効焦点距離を表し、ｆ３は、前記第三レンズ群３０の有効焦点距離を表し、ｆ４５は、接着された前記第四及び第五レンズ２２，２３の複合レンズの有効焦点距離を表し、Ｆｗは、前記ズームレンズ鏡胴１００の広角端においての有効焦点距離を表し、Ｆｔは、前記ズームレンズ鏡胴１００の望遠端においての有効焦点距離を表す。
【００１９】
上記の条件式（１）を満たせば、前記第二レンズ群２０の焦点距離（Ｆｏｃａｌ  ｌｅｎｇｔｈ）が効果的に制限される。前記ｆ２／ｆ３値が０．３５より大きい場合、焦点調節移動距離が短縮されて、前記ズームレンズ鏡胴１００の全長が短縮され、さらに前記ズームレンズ鏡胴１００の小型化が実現される。前記ｆ２／ｆ３値が０．７より小さい場合、色収差が容易に補正されて優れた結像品質を達成する。前記ｆ２／ｆ３値が０．４６又は０．６であることが好ましい。
【００２０】
上記の条件式（２）を満たせば、前記ズームレンズ鏡胴１００の広角端及び望遠端においての横向き色収差が効果的に補正される。前記｜ｆ４５／Ｆｗ｜値が２．６７又は２．２であることが好ましい。
【００２１】
上記の条件式（３）を満たせば、前記ズームレンズ鏡胴１００の広角端においての画角が広角になる一方、前記第一レンズ群１０の外径が大きすぎないようにして、前記ズームレンズ鏡胴１００の薄型化を実現することができる。前記｜ｆ１｜／Ｆｔ値が０．６５又は０．７５であることが好ましい。
【００２２】
上記の条件式（４）を満たせば、前記ズームレンズ鏡胴１００の広角の要求を満たして、前記ズームレンズ鏡胴１００の全長が制御される。前記ｆ３／Ｆｔ値が１．０１又は０．８４５であることが好ましい。
【００２３】
また、前記ズームレンズ鏡胴１００が下記の条件式（５）及び（６）をさらに満たすことが好ましい。
【００２４】
３．３＜（Ｎ１＋Ｎ２）＜３．５６……（５）
１６＜（Ｖ１−Ｖ２）＜２８……（６）
【００２５】
ただし、Ｎ１は、前記第一レンズ１１の屈折率を表し、Ｎ２は、前記第二レンズ１２の屈折率を表し、Ｖ１は、前記第一レンズ１１のアッベ数を表し、Ｖ２は、前記第二レンズ１２のアッベ数を表す。
【００２６】
上記の条件式（５）を満たせば、像面湾曲及び球面収差が適当に補正される。前記（Ｎ１＋Ｎ２）値が３．４１又は３．４３であることが好ましい。
【００２７】
上記の条件式（６）を満たせば、前記ズームレンズ鏡胴１００の広角端及び望遠端においての横向き色収差が効果的に補正される。前記（Ｖ１−Ｖ２）値が１９．９又は２３．４であることが好ましい。
【００２８】
また、前記ズームレンズ鏡胴１００が下記の条件式（７）及び（８）をさらに満たすことが好ましい。
【００２９】
３．４＜（Ｎ４＋Ｎ５）……（７）
３＜（Ｖ４−Ｖ５）＜１３……（８）
【００３０】
ただし、Ｎ４は、前記第四レンズ２２の屈折率を表し、Ｎ５は、前記第五レンズ２３の屈折率を表し、Ｖ４は、前記第四レンズ２２のアッベ数を表し、Ｖ５は、前記第五レンズ２３のアッベ数を表す。
【００３１】
上記の条件式（７）を満たせば、像面湾曲及び球面収差が適当に補正される。前記（Ｎ４＋Ｎ５）値が３．４７又は３．５であることが好ましい。
【００３２】
上記の条件式（８）を満たせば、前記ズームレンズ鏡胴１００の広角端及び望遠端においての横向き色収差が効果的に補正される。前記（Ｖ４−Ｖ５）値が７．４又は４．９であることが好ましい。
【００３３】
また、前記ズームレンズ鏡胴１００が下記の条件式（９）及び（１０）をさらに満たすことが好ましい。
【００３４】
０．６＜Ｍ２／Ｆｔ＜０．７……（９）
０．００８＜Ｌ１２ｔ／Ｆｔ＜０．０３６……（１０）
【００３５】
ただし、Ｍ２は、前記ズームレンズ鏡胴１００が広角端から望遠端に調節される時の第二レンズ群２０の光軸に沿う最大移動量を表し、Ｌ１２ｔは、前記ズームレンズ鏡胴１００が望遠端である時の、前記第一レンズ群１０の第二レンズ１２の結像側の表面と第二レンズ群２０の第三レンズ２１の対物側の表面との間の距離（即ち、第四表面Ｓ４と第五表面Ｓ５との間の距離）を表す。
【００３６】
上記の条件式（９）を満たせば、前記ズームレンズ鏡胴１００は短い焦点調節移動距離及び高ズーム比を有する。前記Ｍ２／Ｆｔ値が０．６６又は０．６３９であることが好ましい。
【００３７】
上記の条件式（１０）を満たせば、前記ズームレンズ鏡胴１００の広角の要求が満たされて、前記ズームレンズ鏡胴１００の全長が制御される。前記Ｌ１２ｔ／Ｆｔ値が０．０１３又は０．０３１であることが好ましい。
【００３８】
レンズ表面中心を原点とし、光軸をｘ軸とする時、レンズ表面の非球面形状の条件式は、下記の通りである。
【００３９】
【数１】
2012093759.tif 000003
【００４０】
ただし、ｃは、頂点曲率を表し、ｈは、光軸からレンズの表面までの高さを表し、ｋは、二次曲面定数（Ｃｏｎｉｃ  Ｃｏｎｓｔａｎｔ）を表し、Ａｉは、非球面のｉ番目のオーダー補正係数を表す（Ａｉ  ｉｓ  ｉ−ｔｈ  ｏｒｄｅｒ  ｃｏｒｒｅｃｔｉｏｎ  ｃｏｅｆｆｉｃｉｅｎｔｓ  ｏｆ  ｔｈｅ  ａｓｐｈｅｒｉｃ  ｓｕｒｆａｃｅｓ）。下記の表１〜表６におけるパラメーターを上記の条件式に代入すれば、レンズ表面の非球面形状を得ることができる。
【数２】
2012093759.tif 000004
【００４１】
本実施形態において、ズームレンズ鏡胴１００における各光学素子は、表１〜表３の条件を満たす。ただし、ｉは、対物側からの第ｉ番目のレンズ表面を表し、ｒｉは、対物側からの第ｉ番目のレンズ表面の曲率半径を表し、Ｄｉは、対物側からの第ｉ番目のレンズ表面と第ｉ＋１番目のレンズ表面との間の軸方向間隔を表し、ｎｉは、対物側からの第ｉ番目のレンズ表面の屈折率を表し、ｖｉは、対物側からの第ｉ番目のレンズ表面のアッベ数を表し、ｋｉは、対物側からの第ｉ番目のレンズ表面の二次曲面定数を表す。
【００４２】
【表１】
2012093759.tif 000005
【００４３】
【表２】
2012093759.tif 000006
【００４４】
【表３】
2012093759.tif 000007
【００４５】
表３には、表１の可変間隔Ｄ４、Ｄ１０、Ｄ１２がそれぞれ広角端（ｆ＝４．２１ｍｍ）、中間状態（ｆ＝８．９１ｍｍ）、望遠端（ｆ＝１５．９６ｍｍ）においての値が示されている。ｆは、前記ズームレンズ鏡胴１００の有効焦点距離であり、Ｆ  ｎｕｍｂｅｒは、前記ズームレンズ鏡胴１００のＦ値であり、ＦＯＶ（２ｗ）は、前記ズームレンズ鏡胴１００の画角である。
【００４６】
広角端においての前記ズームレンズ鏡胴１００の球面収差、像面湾曲、歪み（Ｄｉｓｔｏｒｔｉｏｎ）及び色収差は、それぞれ図２乃至図４に示されている。図２は、Ｆ線（周波数が４８６ｎｍである）、ｄ線（周波数が５８７ｎｍである）、Ｃ線（周波数が６５６ｎｍである）に対して観察した収差値の曲線であり、発生する収差値は（−０．２ｍｍ，０．２ｍｍ）の範囲内で制御される。図３における曲線Ｔ及びＳは、それぞれ子午的像面湾曲（Ｔａｎｇｅｎｔｉａｌ  ｆｉｅｌｄ  Ｃｕｒｖａｔｕｒｅ）及び球欠的像面湾曲（Ｓａｇｉｔｔａｌ  ｆｉｅｌｄ  Ｃｕｒｖａｔｕｒｅ）を表す（以下、同じである）。前記子午的像面湾曲値及び前記球欠的像面湾曲値は、（−０．５ｍｍ，０．５ｍｍ）の範囲内で制御される。図４における曲線ｄｉｓは、歪み特性を表す（以下、同じである）。前記歪み量は、（−２０％，２０％）の範囲内で制御され、且つ撮影方法によって補正されることができる。
【００４７】
望遠端においての前記ズームレンズ鏡胴１００の球面収差、像面湾曲、歪み及び色収差は、それぞれ図５乃至図７に示されている。図５は、Ｆ線（周波数が４８６ｎｍである）、ｄ線（周波数が５８７ｎｍである）、Ｃ線（周波数が６５６ｎｍである）に対して観察した収差値の曲線であり、発生する収差値は（−０．２ｍｍ，０．２ｍｍ）の範囲内で制御される。図６における曲線Ｔ及びＳは、それぞれ子午的像面湾曲及び球欠的像面湾曲を表す。前記子午的像面湾曲値及び前記球欠的像面湾曲値は、（−０．５ｍｍ，０．５ｍｍ）の範囲内で制御される。図７における曲線ｄｉｓは、歪み特性を表す。前記歪み量は、（−５％，５％）の範囲内で制御される。
【００４８】
図２乃至図７に示したように、前記ズームレンズ鏡胴１００の広角端及び望遠端においての球面収差、像面湾曲、歪みは、全て小さい範囲内で制御（修正）されている。
【００４９】
前記ズームレンズ鏡胴１００は、焦点調節移動距離が短縮されることで前記ズームレンズ鏡胴１００の全長が短縮されて、前記ズームレンズ鏡胴１００の小型化を実現し、球面収差、像面湾曲及び色収差が容易に補正されて優れた結像品質を達成する。
【００５０】
図８は、本発明の第二実施形態に係るズームレンズ鏡胴１００ａの構造図である。本実施形態のズームレンズ鏡胴１００ａと第一実施形態のズームレンズ鏡胴１００とが異なることは、本実施形態のズームレンズ鏡胴１００ａにおける各光学素子が表４〜表６の条件を満たすことである。
【００５１】
【表４】
2012093759.tif 000008
【００５２】
【表５】
2012093759.tif 000009
【００５３】
【表６】
2012093759.tif 000010
【００５４】
表６には、表４の可変間隔Ｄ４、Ｄ１０、Ｄ１２がそれぞれ広角端（ｆ＝４．２ｍｍ）、中間状態（ｆ＝８．９ｍｍ）、望遠端（ｆ＝１５．９６ｍｍ）においての値が示されている。ｆは、前記ズームレンズ鏡胴１００ａの有効焦点距離であり、Ｆ  ｎｕｍｂｅｒは、前記ズームレンズ鏡胴１００ａのＦ値であり、ＦＯＶ（２ｗ）は、前記ズームレンズ鏡胴１００ａの画角である。
【００５５】
広角端においての前記ズームレンズ鏡胴１００ａの球面収差、像面湾曲、歪み及び色収差は、それぞれ図９乃至図１１に示されている。図９は、Ｆ線（周波数が４８６ｎｍである）、ｄ線（周波数が５８７ｎｍである）、Ｃ線（周波数が６５６ｎｍである）に対して観察した収差値の曲線であり、発生する収差値は（−０．２ｍｍ，０．２ｍｍ）の範囲内で制御される。図１０における曲線Ｔ及びＳは、それぞれ子午的像面湾曲及び球欠的像面湾曲を表す。前記子午的像面湾曲値及び前記球欠的像面湾曲値は、（−０．５ｍｍ，０．５ｍｍ）の範囲内で制御される。図１１における曲線ｄｉｓは、歪み特性を表す。前記歪み量は（−２０％，２０％）の範囲内で制御され、且つ撮影方法によって補正されることができる。
【００５６】
望遠端においての前記ズームレンズ鏡胴１００ａの球面収差、像面湾曲、歪み及び色収差は、それぞれ図１２乃至図１４に示されている。図１２は、Ｆ線（周波数が４８６ｎｍである）、ｄ線（周波数が５８７ｎｍである）、Ｃ線（周波数が６５６ｎｍである）に対して観察した収差値の曲線であり、発生する収差値は（−０．２ｍｍ，０．２ｍｍ）の範囲内で制御される。図１３における曲線Ｔ及びＳは、それぞれ子午的像面湾曲及び球欠的像面湾曲を表す。前記子午的像面湾曲値及び前記球欠的像面湾曲値は、（−０．５ｍｍ，０．５ｍｍ）の範囲内で制御される。図１４における曲線ｄｉｓは、歪み特性を表す。前記歪み量は、（−２０％，２０％）の範囲内で制御される。
【００５７】
図９乃至図１４に示したように、前記ズームレンズ鏡胴１００ａの広角端及び望遠端においての球面収差、像面湾曲、歪みは、全て小さい範囲内で制御（修正）されている。
【００５８】
前記ズームレンズ鏡胴１００ａは、焦点調節移動距離が短縮されることで前記ズームレンズ鏡胴１００ａの全長が短縮されて、前記ズームレンズ鏡胴１００ａの小型化を実現し、球面収差、像面湾曲及び色収差が容易に補正されて優れた結像品質を得る。
【００５９】
以上、本発明の好適な実施例について詳細に説明したが、本発明は前記実施例に限定されるものではなく、本発明の範囲内で種々の変形又は修正が可能であり、該変形又は修正も又、本発明の特許請求の範囲内に含まれるものであることは、いうまでもない。
【符号の説明】
【００６０】
１００、１００ａ  ズームレンズ鏡胴
１０  第一レンズ群
１１  第一レンズ
１２  第二レンズ
２０  第二レンズ群
２１  第三レンズ
２２  第四レンズ
２３  第五レンズ
３０  第三レンズ群
３１  第六レンズ
４０  光学絞り
５０  カラーフィルタ
６０  保護ガラス
７０  結像面
Ｓ１〜Ｓ１５  第一表面〜第十五表面
【図１】
2012093759.tif 000011
【図２】
2012093759.tif 000012
【図３】
2012093759.tif 000013
【図４】
2012093759.tif 000014
【図５】
2012093759.tif 000015
【図６】
2012093759.tif 000016
【図７】
2012093759.tif 000017
【図８】
2012093759.tif 000018
【図９】
2012093759.tif 000019
【図１０】
2012093759.tif 000020
【図１１】
2012093759.tif 000021
【図１２】
2012093759.tif 000022
【図１３】
2012093759.tif 000023
【図１４】
2012093759.tif 000024